【事件の表示】
　特許第５５４４５５８号に関する訂正審判事件について、次のとおり審決する。
【結　論】
　特許第５５４４５５８号の明細書及び特許請求の範囲を本件審判請求書に添付された訂正明細書及び特許請求の範囲のとおり，訂正後の請求項１〜６について訂正することを認める。
【理　由】
第１　手続の経緯
　本件訂正審判の請求に係る特許第５５４４５５８号（以下「本件特許」という。）は，平成２５年３月３１日に特願２０１３−７５５４９号として特許出願され，平成２６年５月２３日に特許権の設定登録がなされ，平成２８年１２月１３日に本件訂正審判の請求がなされたものである。 
第２　請求の趣旨
　本件訂正審判の請求の趣旨は，本件特許の明細書及び特許請求の範囲を本件審判請求書に添付の訂正明細書及び特許請求の範囲のとおり，訂正後の請求項１〜６について訂正することを認める，との審決を求めるものである。
第３　訂正の内容
１　訂正事項１
　本件特許請求の範囲の請求項１における
「前記第一の先読み予告が第一の期間において開始される確率は，第一の確率であり，
　前記第一の先読み予告が第二の期間において開始される確率は，第一の確率であり，」という記載を，　
「
前記第一の先読み予告は，第一の期間であっても第二の期間であっても期間に関係なく同じ確率で開始される先読み予告であり，
２　訂正事項２
　本件特許請求の範囲の請求項１における
「前記第二の先読み予告が前記第一の期間において開始される確率は，第二の確率であり，」という記載を，
「
前記第二の先読み予告は，第一の期間では或る確率で開始される先読み予告であり，
３　訂正事項３
　本件特許請求の範囲の請求項１における
「前記第二の先読み予告が前記第二の期間において開始される確率は，第三の確率であり，
　前記第三の確率は，前記第二の確率と少なくとも異なる確率であり，」という記載を，
「
前記或る確率は，０％よりも高い確率であり，
　
前記第二の先読み予告は，第二の期間では開始される確率が０％であり，
４　訂正事項４
　本件特許請求の範囲の請求項１における
「前記第一の先読み予告は，前記図柄変動表示の実行中に保留の増加があった場合に，新たな図柄変動表示が開始される前に実行可能な先読み予告であり，
　前記第一の先読み予告は，前記図柄変動表示の実行中に保留の増加があった場合に，増加した保留を対象にした先読み予告であり，」という記載を，
「前記第一の先読み予告は，前記図柄変動表示の実行中に保留の増加があった場合に，新たな図柄変動表示が開始される前に実行可能な先読み予告であり，
　
前記第一の先読み予告は，実行を決定した入賞時から開始する先読み予告であり，
　前記第一の先読み予告は，前記図柄変動表示の実行中に保留の増加があった場合に，増加した保留を対象にした先読み予告であり，」と訂正する。
５　訂正事項５
　本件特許請求の範囲の請求項１における
「前記第二の先読み予告は，前記図柄変動表示の実行中に保留の増加があった場合に，新たな図柄変動表示の開始と同時または開始後に，実行可能な先読み予告であり，」という記載を，
「前記第二の先読み予告は，前記図柄変動表示の実行中に保留の増加があった場合に，新たな図柄変動表示
の開
６　訂正事項６
　本件特許請求の範囲の請求項２を削除する。
７　訂正事項７
　本件特許請求の範囲の請求項３を削除する。
８　訂正事項８
　本件特許請求の範囲の請求項４を削除する。
９　訂正事項９
　本件特許請求の範囲の請求項５を削除する。
１０　訂正事項１０
　本件特許請求の範囲の請求項６における
「請求項１乃至５のうちいずれか一項に記載の遊技台であって，」という記載を，
「請求項
１に
１１　訂正事項１１
　本件特許明細書の段落【０００８】における
「前記第一の先読み予告が第一の期間において開始される確率は，第一の確率であり，
　前記第一の先読み予告が第二の期間において開始される確率は，第一の確率であり，」という記載を，　
「
前記第一の先読み予告は，第一の期間であっても第二の期間であっても期間に関係なく同じ確率で開始される先読み予告であり，
１２　訂正事項１２
　本件特許明細書の段落【０００８】における
「前記第二の先読み予告が前記第一の期間において開始される確率は，第二の確率であり，」という記載を，
「
前記第二の先読み予告は，第一の期間では或る確率で開始される先読み予告であり，
１３　訂正事項１３
　本件特許明細書の段落【０００８】における
「前記第二の先読み予告が前記第二の期間において開始される確率は，第三の確率であり，
　前記第三の確率は，前記第二の確率と少なくとも異なる確率であり，」という記載を，
「
前記或る確率は，０％よりも高い確率であり，
　
前記第二の先読み予告は，第二の期間では開始される確率が０％であり，
１４　訂正事項１４
　本件特許明細書の段落【０００８】における
「前記第一の先読み予告は，前記図柄変動表示の実行中に保留の増加があった場合に，新たな図柄変動表示が開始される前に実行可能な先読み予告であり，
　前記第一の先読み予告は，前記図柄変動表示の実行中に保留の増加があった場合に，増加した保留を対象にした先読み予告であり，」という記載を，
「前記第一の先読み予告は，前記図柄変動表示の実行中に保留の増加があった場合に，新たな図柄変動表示が開始される前に実行可能な先読み予告であり，
　
前記第一の先読み予告は，実行を決定した入賞時から開始する先読み予告であり，
　前記第一の先読み予告は，前記図柄変動表示の実行中に保留の増加があった場合に，増加した保留を対象にした先読み予告であり，」と訂正する。
１５　訂正事項１５
　本件特許明細書の段落【０００８】における
「前記第二の先読み予告は，前記図柄変動表示の実行中に保留の増加があった場合に，新たな図柄変動表示の開始と同時または開始後に，実行可能な先読み予告であり，」という記載を，
「前記第二の先読み予告は，前記図柄変動表示の実行中に保留の増加があった場合に，新たな図柄変動表示
の開
第４　当審の判断
１　訂正事項１について
（１）訂正の目的について
　訂正事項１は，「第一の先読み予告」が開始される確率について，訂正前の「第一の期間」と「第二の期間」とのそれぞれにおいて「第一の確率」であるとの表現を，「第一の期間であっても第二の期間であっても期間に関係なく同じ確率」であるとの表現にすることで，当該２つの期間で同じ確率であることを明瞭にするものであるから，特許法第１２６条第１項ただし書第３号に掲げる，明瞭でない記載の釈明を目的とする訂正に該当する。
（２）新規事項の有無，特許請求の範囲の拡張又は変更の有無について
　本件特許図面の図２１（ａ）の先読み予告抽選処理の流れを示すフローチャート及び図２１（ｂ）の先読み予告実行処理の流れを示すフローチャートにおいて，段落【０２８６】には「ステップＳ３０９３ｃにおける判定で
特図が図柄停止中でなければ，
ステップＳ３０９３ｅに進む
特図が図柄停止中であれば，
ステップＳ３０９３ｅに進む
ステップＳ３０９３ｅでは，
保留表示を用いた先読み予告
の実行可否抽選を，図１３（ｃ）に示す実行可否抽選テーブル等を用いて行い
当選していれば，
先読み予告を，
実行する
　以上のことから，訂正事項１は，本件特許明細書の段落【０２８６】，【０２８７】，【０２９１】及び本件特許図面の図２１に基づくものであって，本件特許の願書に添付した明細書，特許請求の範囲及び図面（以下，「本件特許明細書等」という。）のすべてを総合することにより導かれる技術的事項との関係において新たな技術的事項を導入するものではなく，本件特許明細書等に記載した事項の範囲内においてされたものである。
　また，訂正事項１は，訂正の前後で特許請求の範囲に記載された発明の拡張又は変更はないから，実質上特許請求の範囲を拡張し，又は変更するものでもない。 
　したがって，訂正事項１は，特許法第１２６条第５項及び第６項の規定に適合する。 
２　訂正事項２，３について
（１）訂正の目的について
　訂正事項２は，訂正事項１により，訂正前の「第一の確率」という記載を「同じ確率」に訂正を行った結果，「第一の確率」が存在しなくなり不明瞭となった「第二の確率」との記載を「或る確率」と表現することで明瞭にするものであるから，特許法第１２６条第１項ただし書第３号に掲げる，明瞭でない記載の釈明を目的とする訂正に該当する。
　また，訂正事項３は，「第二の先読み予告」において，訂正事項２によって「或る確率」に訂正された訂正前の「第二の確率」について，「０％よりも高い確率」に具体的に限定し，訂正前の「第二の期間において開始される確率」であって「第二の確率と少なくとも異なる確率」である「第三の確率」について，「第二の期間では開始される確率が０％」と具体的に限定するものであるから，特許法第１２６条第１項ただし書第１号に掲げる，特許請求の範囲の減縮を目的とするものである。
（２）新規事項の有無，特許請求の範囲の拡張又は変更の有無について
　本件特許図面の図２１（ａ）の先読み予告抽選処理の流れを示すフローチャート及び図２１（ｂ）の先読み予告実行処理の流れを示すフローチャートにおいて，段落【０２８６】には「ステップＳ３０９３ｃにおける判定で
特図が図柄停止中でなければ，
特定の図柄を用いた先読み予告
の実行可否抽選を，図１３（ｂ）に示す実行可否抽選テーブル
を用いて行い（ステップＳ３０９３ｄ）
特図が図柄停止中であれば，ステップＳ３０９３ｄ
の実行可否抽選は行わず
当選していれば，
先読み予告を，
実行する
図柄停止表示中における特定の図柄を用いた先読み予告の実行確率は０％
　以上のことから，訂正事項２，３は，本件特許明細書の段落【０２８６】，【０２９１】，【０２９２】及び本件特許図面の図２１に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項２，３は，訂正の前後で特許請求の範囲に記載された発明の拡張又は変更はないから，実質上特許請求の範囲を拡張し，又は変更するものでもない。 
　したがって，訂正事項２，３は，特許法第１２６条第５項及び第６項の規定に適合する。
３　訂正事項４について
（１）訂正の目的について
　訂正事項４は，「第一の先読み予告」について，「実行を決定した入賞時から開始する先読み予告」であることに具体的に限定するものであるから，特許法第１２６条第１項ただし書第１号に掲げる，特許請求の範囲の減縮を目的とするものである。
（２）新規事項の有無，特許請求の範囲の拡張又は変更の有無について
　本件特許明細書の段落【０２２３】には「この保留表示を用いた先読み予告は，実行開始タイミングが入賞時」であることが記載されている。
　このことから，訂正事項４は，本件特許明細書の段落【０２２３】の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項４は，訂正の前後で特許請求の範囲に記載された発明の拡張又は変更はないから，実質上特許請求の範囲を拡張し，又は変更するものでもない。 
　したがって，訂正事項４は，特許法第１２６条第５項及び第６項の規定に適合する。
４　訂正事項５について
（１）訂正の目的について
　訂正事項５は，「図柄変動表示の実行中に保留の増加があった場合」の「第二の先読み予告」について，訂正前は，新たな図柄変動表示の「開始と同時」または「開始後」に実行可能であったものを，新たな図柄変動表示の「開始後」に実行可能であることに限定するものであるから，特許法第１２６条第１項ただし書第１号に掲げる，特許請求の範囲の減縮を目的とするものである。
（２）新規事項の有無，特許請求の範囲の拡張又は変更の有無について
　本件特許明細書の段落【０２２５】には「この特定の図柄を用いた先読み予告の実行開始タイミングは，入賞後の最初の図柄変動開始コマンドを受信してから所定時間経過後の当該図柄変動開始コマンドによって開始された図柄変動表示中になる」こと，「保留が１以上の状態で入賞があった場合には，上記当該図柄変動表示よりも前に行われる図柄変動表示中になる」こととが記載されており，「入賞後の最初の図柄変動開始コマンドを受信してから所定時間経過後」とは，保留の増加があった場合における新たな図柄変動表示の開始後に他ならないから，特定の図柄を用いた先読み予告の実行開始タイミングは，図柄変動表示中に保留の増加があった場合における新たな図柄変動表示の開始後であることが記載されているといえる。
　以上のことから，訂正事項５は，本件特許明細書の段落【０２２５】の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項５は，訂正の前後で特許請求の範囲に記載された発明の拡張又は変更はないから，実質上特許請求の範囲を拡張し，又は変更するものでもない。 
　したがって，訂正事項５は，特許法第１２６条第５項及び第６項の規定に適合する。
５　訂正事項６〜９について
（１）訂正の目的について
　本件特許の特許請求の範囲には請求項２〜５があるところ，訂正事項６〜９は，訂正前の請求項２〜５を削除する訂正であるから，特許法第１２６条第１項ただし書第１号に掲げる，特許請求の範囲の減縮を目的とする訂正に該当する。
（２）新規事項の有無，特許請求の範囲の拡張又は変更の有無について
　訂正事項６〜９は，訂正前の請求項２〜５を削除する訂正であるから，本件特許明細書等のすべてを総合することにより導かれる技術的事項との関係において新たな技術的事項を導入するものではなく，本件特許明細書等に記載した事項の範囲内においてされたものである。
　また，訂正事項６〜９は，訂正の前後で特許請求の範囲に記載された発明の拡張又は変更はないから，実質上特許請求の範囲を拡張し，又は変更するものでもない。
　したがって，訂正事項６〜９は，特許法第１２６条第５項及び第６項の規定に適合する。
６　訂正事項１０について
（１）訂正の目的について
　訂正事項１０は，訂正事項６〜９の訂正により，訂正前の請求項２〜５を削除する訂正を行った結果，訂正前の削除された請求項を含む請求項１〜５を引用する記載を，請求項１を引用する記載にするものであるから，特許法第１２６条第１項ただし書第３号に掲げる，明瞭でない記載の釈明を目的とする訂正に該当する。
 
（２）新規事項の有無，特許請求の範囲の拡張又は変更の有無について
　訂正事項１０は，訂正前の請求項１〜５を引用する記載を，請求項１のみを引用する記載にするものであるから，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。 
　また，訂正事項１０は，訂正の前後で特許請求の範囲に記載された発明の拡張又は変更はないから，実質上特許請求の範囲を拡張し，又は変更するものでもない。 
　したがって，訂正事項１０は，特許法第１２６条第５項及び第６項の規定に適合する。
７　訂正事項１１〜１５について
（１）訂正の目的について 
　訂正事項１１〜１５は，訂正事項１〜５の訂正により，訂正前の請求項１における特許請求の範囲の記載の訂正を行った結果，記載表現が一致しなくなった本件特許明細書の段落【０００８】の記載を，訂正後の請求項１の記載に整合させるための訂正であるから，特許法第１２６条第１項ただし書第３号に掲げる，明瞭でない記載の釈明を目的とする訂正に該当する。
（２）新規事項の有無，特許請求の範囲の拡張又は変更の有無について 
　訂正事項１１〜１５は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。 
　また，訂正事項１１〜１５は，訂正の前後で特許請求の範囲に記載された発明の拡張又は変更はないから，実質上特許請求の範囲を拡張し，又は変更するものでもない。 
　したがって，訂正事項１１〜１５は，特許法第１２６条第５項及び第６項の規定に適合する。 
８　一群の請求項について
　訂正事項１〜５は，請求項１を訂正するものである。そして，訂正後の請求項１の記載を，請求項６が引用しているから，訂正後の請求項１，６は，特許法施行規則第４６条の２第２号に規定する関係を有する一群の請求項である。
　したがって，本件訂正審判の請求に係る訂正は，特許法第１２６条第３項の規定に適合する。
　訂正事項１１〜１５は，訂正事項１〜５に伴って本件特許明細書の段落【０００８】に記載されている請求項１に対応する部分について訂正するものであるから，訂正後の請求項１の記載を引用する請求項６を含めた一群の請求項１，６の全てに関係する。
　したがって，本件訂正審判の請求に係る訂正は，特許法第１２６条第４項の規定に適合する。
９　独立特許要件について
　特許請求の範囲の減縮を目的とする訂正事項３〜５は請求項１に関する訂正であり，訂正後の請求項６は訂正後の請求項１を引用している。
　そして，訂正後の請求項１，６により特定された発明が，特許出願の際独立して特許を受けることができない理由を発見することはできない。
　したがって，訂正事項３〜５は，特許法第１２６条第７項の規定に適合する。
 第５　むすび
　以上のとおりであるから，本件訂正審判の請求に係る訂正は，特許法第１２６条第１項ただし書第１号又は第３号に掲げる事項を目的とするものであり，かつ，同法同条第３〜７項の規定に適合する。 
　よって，結論のとおり審決する。